(57)【要約】【課題】空気を吸い上げながら行う、ソムリエ等の行うテーステングを誰でも容易に行うことの出来る、テーステングの為の補助具を供する。【解決手段】下唇側に、空気が通るのに十分な溝若しくは管若しくは突起を有した部材で、カップの淵に取り付け取り外し可能な弾性を有するフックを有する。若しくはストロータイプの物で、液体を吸い上げるための管とは別に、空気を吸い上げる為の管若しくは溝若しくは突起を有する。【選択図】  図２
2005261908.tif 000002
【特許請求の範囲】
【請求項１】
下唇側に、空気導入管若しくは溝若しくは突起を有した部材で、カップの淵に取り付け取り外し可能な弾性を有するフックを持つ事を特徴とするテーステングの補助具
【請求項２】
液体を吸い上げるための管とは別に、下唇側に空気導入管若しくは溝若しくは突起を持つ事を特徴とするテーステングの補助具
【発明の詳細な説明】
【発明の詳細な説明】
【００１】
【発明に関する技術分野】
【００２】本発明は、テーステングの為の補助具に関する。
【背景技術】
【００３】味は、舌の味蕾のみでなく、咀嚼時に口腔内の食べ物と空気が混ざり合うことにより、放つ香りを鼻腔で感じることにより、より多くの広がりを感じることができることはよく知られている。そのため、より積極的に物の味を楽しもうという場合、伝統的に無意識的に、あるいは意図的に、空気を吸い上げ、強制的に食べ物若しくは飲み物と混ぜ合わせ、より積極的に物の味を味わおうという行為がなされている。具体的には、前者は日本人が蕎麦を音を立てて啜る行為、後者はワインのテーステング等が挙げられる。しかしそれらの行為、例えば蕎麦を音を立てて啜る行為は日本人にとっては習慣的で何ら問題もなく無意識的にも行える行為であるが、そういった文化をもたない外国人にとっては、非常に困難である。逆にワインなどのテーステングにおいて、空気を吸い上げながら、音を立てて飲む飲み方はこの習慣がない一般の日本人にとっては非常に困難である。また、固形で広い表面積を持つ蕎麦等の麺類は、食べるときにスープ等の液体と共に音を立てて啜る行為のみで、麺及びスープ等の香りを十分に楽しむことが出来る。しかし液体のワイン等ではそうはいかない。音を立てて啜るだけでは、液体の上面を空気がかするだけで、十分に香りを立たせることが出来ない。そのため、飲む液体を一度口に含み、舌を丸めすぼめ空気を吸い上げることにより、液体の下に空気を送り込み、口腔内の空気と液体を循環させなければならず、無意識的にも行える蕎麦等の麺類等を音を立てて啜る行為とは違い、かなり意図的な面倒な行為が必要とされる。以上の課題を解決したテーステングの為のカップを、私たちは、平成１５年８月２４日に『テーステングカップ』という名称での特許出願を行った。その概略は、カップの上部、飲料時に下唇と接触する部分より上部から、飲料時に下唇と接触する部分より下部に至る、空気が通るのに十分な大きさの溝、若しくは空気が通るのに十分な大きさの穴より、飲料時に下唇と接触する部分より下部の穴までに至る空洞部、若しくは空気が通るのに十分な大きさ管をもつ事を特徴とした物である。この構造により、液体を飲むと同時に空気を下唇側、つまり液体の下から吸い込むことが出来、十分に口腔内の空気と液体を循環させることが出来る。そのため、簡単かつ手軽により多くの香りを感じることの出来る。
【発明の開示】
【発明が解決しようとする課題】
【００４】以上のように、簡単にかつ手軽により多くの香りを感じることの出来るテーステングを行うためのカップを発明することが出来た。しかし、その為には前記の特殊なカップを必要とする。本発明の課題は、通常のカップ等であっても、以上の目的を解決する事の出来る、テーステングの為の補助具の発明を課題とする。
【課題を解決するための手段】
【００５】以上の課題を解決するためには、飲む液体の下より空気が吸い上げられる様な構造をもった補助具が必要となる。具体的には、カップに取り付けるタイプの、下唇側に、空気が通るのに十分な溝若しくは管を有した部材で、カップの淵に取り付け取り外し可能な弾性を有するフックを持つ事を特徴とするテーステングの補助具。若しくは、ストロータイプの、液体を吸い上げるための管とは別に、下唇側に空気導入管若しくは溝持つ事を特徴とするテーステングの補助具が考えられる。それとは別に溝若しくは管の代わりに突起だけであっても、突起と下唇とカップの間に空気が通るのに十分な隙間を設けることが出来る。従い、下唇側に、空気導入管若しくは溝若しくは突起を有した部材で、カップの淵に取り付け取り外し可能な弾性を有するフックを持つ事を特徴とするテーステングの補助具。それとストロータイプの、液体を吸い上げるための管とは別に、下唇側に空気導入管若しくは溝若しくは突起を持つ事を特徴とするテーステングの補助具となる。
【発明を実施するための最良の形態】
【実施例】
【００６】図１から図３までは、カップに取り付けるタイプの実施例。図１は、下唇側に、空気が通るのに十分な溝を有した部材で、カップの淵に取り付け取り外し可能な弾性を有するフックを持つ事を特徴とするテーステングの補助具の実施例である。図２は、下唇側に、空気が通るのに十分な管若を有した部材で、カップの淵に取り付け取り外し可能な弾性を有するフックを持つ事を特徴とするテーステングの補助具の実施例である。図３は、下唇側に、空気が通るのに十分な突起を有した部材で、カップの淵に取り付け取り外し可能な弾性を有するフックを持つ事を特徴とするテーステングの補助具の実施例である。図４は、ストロータイプのテーステングの補助具の実施例で、液体を吸い上げるための管とは別に、空気を吸い上げる為の管若しくは溝若しくは突起を持つ事を特徴とするテーステングの補助具の実施例である。
【発明の効果】
ワイン等の飲料の味及び香りを、ソムリエ等の行う特殊な飲み方を行うことなく、誰でもが容易に最大限に味わうことが出来る。また、本発明はテーステングの為の補助具であるため、どのカップでも取り付けることにより、上記の目的を達成することが出来る。
【図１】
2005261908.tif 000003
【図２】
2005261908.tif 000004
【図３】
2005261908.tif 000005
【図４】
2005261908.tif 000006
【手続補正書】
【提出日】平成16年9月24日(2004.9.24)
【手続補正１】
【補正対象書類名】明細書
【補正対象項目名】全文
【補正方法】変更
【補正の内容】
【発明の詳細な説明】
【発明の詳細な説明】
【００１】
【発明に関する技術分野】
【００２】本発明は、テーステングの為の補助具に関する。
【背景技術】
【００３】味は、舌の味蕾のみでなく、咀嚼時に口腔内の食べ物と空気が混ざり合うことにより、放つ香りを鼻腔で感じることにより、より多くの広がりを感じることができることはよく知られている。そのため、より積極的に物の味を楽しもうという場合、伝統的に無意識的に、あるいは意図的に、空気を吸い上げ、強制的に食べ物若しくは飲み物と混ぜ合わせ、より積極的に物の味を味わおうという行為がなされている。  具体的には、前者は日本人が蕎麦を音を立てて啜る行為、後者はワインのテーステング等が挙げられる。しかしそれらの行為、例えば蕎麦を音を立てて啜る行為は日本人にとっては習慣的で何ら問題もなく無意識的にも行える行為であるが、そういった文化をもたない外国人にとっては、非常に困難である。逆にワインなどのテーステングにおいて、空気を吸い上げながら、音を立てて飲む飲み方はこの習慣がない一般の日本人にとっては非常に困難である。また、固形で広い表面積を持つ蕎麦等の麺類は、食べるときにスープ等の液体と共に音を立てて啜る行為のみで、麺及びスープ等の香りを十分に楽しむことが出来る。しかし液体のワイン等ではそうはいかない。音を立てて啜るだけでは、液体の上面を空気がかするだけで、十分に香りを立たせることが出来ない。そのため、飲む液体を一度口に含み、舌を丸めすぼめ空気を吸い上げることにより、液体の下に空気を送り込み、口腔内の空気と液体を循環させなければならず、無意識的にも行える蕎麦等の麺類等を音を立てて啜る行為とは違い、かなり意図的な面倒な行為が必要とされる。以上の課題を解決したテーステングの為のカップを、私たちは、平成１５年８月２４日に『テーステングカップ』という名称での特許出願を行った。その概略は、カップの上部、飲料時に下唇と接触する部分より上部から、飲料時に下唇と接触する部分より下部に至る、空気が通るのに十分な大きさの溝、若しくは空気が通るのに十分な大きさの穴より、飲料時に下唇と接触する部分より下部の穴までに至る空洞部、若しくは空気が通るのに十分な大きさ管をもつ事を特徴とした物である。この構造により、液体を飲むと同時に空気を下唇側、つまり液体の下から吸い込むことが出来、十分に口腔内の空気と液体を循環させることが出来る。そのため、簡単かつ手軽により多くの香りを感じることの出来る。
【発明の開示】
【発明が解決しようとする課題】
【００４】以上のように、簡単にかつ手軽により多くの香りを感じることの出来るテーステングを行うためのカップを発明することが出来た。しかし、その為には前記の特殊なカップを必要とする。本発明の課題は、通常のカップ等であっても、以上の目的を解決する事の出来る、テーステングの為の補助具の発明を課題とする。
【課題を解決するための手段】
【００５】以上の課題を解決するためには、飲む液体の下より空気が吸い上げられる様な構造をもった補助具が必要となる。具体的には、カップに取り付けるタイプの、下唇側に、空気が通るのに十分な溝若しくは管を有した部材で、カップの淵に取り付け取り外し可能な弾性を有するフックを持つ事を特徴とするテーステングの補助具。若しくは、ストロータイプの、液体を吸い上げるための管とは別に、下唇側に空気導入管若しくは溝持つ事を特徴とするテーステングの補助具が考えられる。それとは別に溝若しくは管の代わりに突起だけであっても、突起と下唇とカップの間に空気が通るのに十分な隙間を設けることが出来る。従い、下唇側に、空気導入管若しくは溝若しくは突起を有した部材で、カップの淵に取り付け取り外し可能な弾性を有するフックを持つ事を特徴とするテーステングの補助具。それとストロータイプの、液体を吸い上げるための管とは別に、下唇側に空気導入管若しくは溝若しくは突起を持つ事を特徴とするテーステングの補助具となる。
【発明を実施するための最良の形態】
【実施例】
【００６】図１から図３までは、カップに取り付けるタイプの実施例。図１は、下唇側に、空気が通るのに十分な溝を有した部材で、カップの淵に取り付け取り外し可能な弾性を有するフックを持つ事を特徴とするテーステングの補助具の実施例である。図２は、下唇側に、空気が通るのに十分な管を有した部材で、カップの淵に取り付け取り外し可能な弾性を有するフックを持つ事を特徴とするテーステングの補助具の実施例である。図３は、下唇側に、空気が通るのに十分な突起を有した部材で、カップの淵に取り付け取り外し可能な弾性を有するフックを持つ事を特徴とするテーステングの補助具の実施例である。図４は、ストロータイプのテーステングの補助具の実施例で、液体を吸い上げるための管とは別に、空気を吸い上げる為の管若しくは溝若しくは突起を持つ事を特徴とするテーステングの補助具の実施例である。
【発明の効果】
ワイン等の飲料の味及び香りを、ソムリエ等の行う特殊な飲み方を行うことなく、誰でもが容易に最大限に味わうことが出来る。また、本発明はテーステングの為の補助具であるため、どのカップでも取り付けることにより、上記の目的を達成することが出来る。
【図面の簡単な説明】図１は、ワイングラスに、溝を有した部材で、カップの淵に取り付け取り外し可能な弾性を有するフックを持つ事を特徴とするテーステングの補助具を取り付けたところの立面図。図２は、ワイングラスに、管を有した部材で、カップの淵に取り付け取り外し可能な弾性を有するフックを持つ事を特徴とするテーステングの補助具を取り付けたところの立面図。図３は、ワイングラスに、突起を有した部材で、カップの淵に取り付け取り外し可能な弾性を有するフックを持つ事を特徴とするテーステングの補助具を取り付けたところの立面図。図４は、ストロータイプのテーステングの補助具の実施例で、液体を吸い上げるための管とは別に、空気を吸い上げる為の管若しくは溝若しくは突起を持つ事を特徴とするテーステングの補助具をワイングラスに挿したところの立面図である。